(57)【要約】【課題】  遊技釘の着脱を容易にし、且つ遊技機パネルからの抜け落ちを防止する。【解決手段】  本体１１ａの一端に頭部１１ｂが形成されるとともに遊技機パネル２ａに形成された貫通孔２ａ−１よりも大きな径のストッパ部１１ａ−２が頭部１１ｂと間隔を空けて形成された遊技釘１１と、貫通孔２ａ−１よりも大きな径のフランジ１７ａが形成された固定部材１７と、貫通孔２ａ−１内に嵌入可能に設けられた釘受け部材１６とを有する。遊技釘１１の本体１１ａには釘受け部材１６と螺合するねじ領域１１ａ−１が頭部１１ｂと反対側の端部から所定の長さにわたって設けられ、ストッパ部１１ａ−２はねじ領域１１ａ−１と頭部１１ｂとの間に形成されており、釘受け部材１６は固定部材１７と一体形成されて遊技釘１１と螺合するようになっている。【選択図】        図７
2006149631.tif 000002
【特許請求の範囲】
【請求項１】
本体の一端に頭部が形成されるとともに遊技機パネルに形成された貫通孔よりも大きな径のストッパ部が前記頭部と間隔を空けて形成された遊技釘と、
前記貫通孔よりも大きな径のフランジが形成された固定部材と、
前記貫通孔内に嵌入可能に設けられた釘受け部材とを有し、
前記遊技釘と前記固定部材とが前記釘受け部材を介して螺合されることを特徴とする遊技釘ユニット。
【請求項２】
前記遊技釘の前記本体には前記釘受け部材と螺合するねじ領域が前記頭部と反対側の端部から所定の長さにわたって設けられるとともに、前記ストッパ部は前記ねじ領域と前記頭部との間に形成され、
前記釘受け部材は前記固定部材と一体形成されて前記遊技釘と螺合することを特徴とする請求項１記載の遊技釘ユニット。
【請求項３】
前記遊技釘の前記本体には前記釘受け部材と螺合するねじ領域が前記頭部と反対側の端部から所定の長さにわたって設けられるとともに前記ストッパ部は前記ねじ領域と前記頭部との間に形成され、
前記釘受け部材は前記遊技釘および前記固定部材とは別体に形成されて前記遊技釘および前記固定部材と螺合することを特徴とする請求項１記載の遊技釘ユニット。
【請求項４】
前記釘受け部材には内径部が形成され、
前記ねじ領域は、その先端が前記内径部の孔径よりも小さくなるテーパ状に形成されていることを特徴とする請求項２または３記載の遊技釘ユニット。
【請求項５】
前記釘受け部材は前記遊技釘と一体形成されて前記ストッパ部よりも前記頭部と反対側に位置し、前記固定部材と螺合することを特徴とする請求項１記載の遊技釘ユニット。
【請求項６】
前記釘受け部材の長さは、当該釘受け部材が嵌入される遊技機パネルの厚みよりも短いことを特徴とする請求項１〜５の何れか一項に記載の遊技釘ユニット。
【請求項７】
前記フランジには、所定の工具が嵌合して回転可能な工具嵌合部が形成されていることを特徴とする請求項１〜６の何れか一項に記載の遊技釘ユニット。
【請求項８】
請求項１〜７の何れか一項に記載の遊技釘ユニットが遊技機パネルに固定された遊技盤であって、
前記釘受け部材が前記遊技機パネルに形成された前記貫通孔に嵌入されるとともに、前記ストッパ部が前記遊技機パネルの前面側に位置する前記遊技釘と前記フランジが前記遊技機パネルの背面側に位置する前記固定部材とが前記釘受け部材を介して螺合され、
前記フランジと前記ストッパ部とで前記遊技機パネルを挟み込みつつ前記遊技釘における前記ストッパ部よりも前記頭部側を前記遊技機パネルの前面に突出配置したことを特徴とする遊技盤。
【請求項９】
請求項２、４、６または７記載の遊技釘ユニットが遊技機パネルに固定された遊技盤であって、
前記ストッパ部が前記遊技機パネルの前面側に位置するようにして前記ねじ領域が前記貫通孔に挿入されるとともに、前記フランジが前記遊技機パネルの背面側に位置するようにして前記釘受け部材が前記貫通孔に嵌入されて前記ねじ領域と螺合され、
前記フランジと前記ストッパ部とで前記遊技機パネルを挟み込みつつ前記遊技釘における前記ストッパ部よりも前記頭部側を前記遊技機パネルの前面に突出配置したことを特徴とする遊技盤。
【請求項１０】
請求項３、４、６または７記載の遊技釘ユニットが遊技機パネルに固定された遊技盤であって、
前記ストッパ部が前記遊技機パネルの前面側に位置するようにして前記ねじ領域が前記貫通孔に挿入されるとともに前記フランジが前記遊技機パネルの背面側に位置するようにして前記貫通孔に挿入され、さらに前記遊技機パネルの前面側または背面側から当該貫通孔に嵌入された前記釘受け部材が前記遊技釘のねじ領域および前記固定部材と螺合され、
前記フランジと前記ストッパ部とで前記遊技機パネルを挟み込みつつ前記遊技釘における前記ストッパ部よりも前記頭部側を前記遊技機パネルの前面に突出配置したことを特徴とする遊技盤。
【請求項１１】
請求項５、６または７記載の遊技釘ユニットが遊技機パネルに固定された遊技盤であって、
前記ストッパ部が前記遊技機パネルの前面側に位置するようにして前記釘受け部材が前記貫通孔に嵌入されるとともに、前記フランジが前記遊技機パネルの背面側に位置するようにして前記固定部材が前記貫通孔に挿入されて前記釘受け部材と螺合され、
前記フランジと前記ストッパ部とで前記遊技機パネルを挟み込みつつ前記遊技釘における前記ストッパ部よりも前記頭部側を前記遊技機パネルの前面に突出配置したことを特徴とする遊技盤。
【請求項１２】
前記遊技機パネルは樹脂製であることを特徴とする請求項８〜１１の何れか一項に記載の遊技盤。
【請求項１３】
前記遊技機パネルは透光性を有する樹脂製であることを特徴とする請求項１２記載の遊技盤。
【請求項１４】
請求項８〜１３の何れか一項に記載の遊技盤が用いられていることを特徴とする弾球遊技機。
【発明の詳細な説明】
【技術分野】
【０００１】
本発明は遊技釘ユニットおよびそれを用いた遊技盤ならびに弾球遊技機に関するものである。
【背景技術】
【０００２】
パチンコ遊技機（弾球遊技機）においては、遊技盤がガラスを通して視認可能に装着されている。この遊技盤は、遊技機パネルと、遊技機パネルに取り付けられた多数の遊技釘や風車などの障害物や入賞装置等で構成されている。そして、遊技釘は、釘打機により木製や樹脂製の遊技機パネルに打ち込まれ、固定されている。
【０００３】
このような遊技釘では、釘交換に伴う釘引き抜きの手間がかかること、また同じ釘孔に再度打ち込んだ場合の固定強度が低下すること、さらには交換した釘が遊技球の衝突により緩むおそれがあること、などの問題がある。
【０００４】
特に遊技機パネルが樹脂製である場合には、遊技釘の調整作業を叩いて行うと、釘とパネルとの接点かかるストレスの逃げ場がないために、遊技機パネルが割れたり欠けたりして美観が損なわれるおそれがあるので、実質的に釘調整は不可能でもある。
【０００５】
そこで、このような問題を解決するために、例えば特開平６−１７８８５２号公報では、遊技機パネルに貫通孔を設け、この貫通孔に筒部材を嵌入し、筒部材の胴部の内径部に遊技釘を取り付ける構成が開示されている。
【０００６】
この構成によれば、筒部材に遊技釘が取り付けられているため、遊技機パネルから筒部材を取り外すことにより、遊技釘の取り外し作業を簡単に行うことができる。
【特許文献１】特開平６−１７８８５２号公報
【発明の開示】
【発明が解決しようとする課題】
【０００７】
しかしながら、特開平６−１７８８５２号公報に記載の技術では、釘自体に引き抜き力に抗するような配慮が施されていないため、遊技釘は筒部材の内径部に単に打ち込まれているに過ぎず、例えば調整作業などで遊技釘に負担がかかると、遊技機パネルの前面側に抜け落ちてしまうおそれがある。
【０００８】
また、遊技機パネルから遊技釘を取り外すことが可能であっても、筒部材ごと取り外すことになるので、例えば遊技釘だけを取り外したい場合などでは、従来通り、釘抜きなどで遊技釘を筒部材から取り外さなくてはならない。つまり、筒部材と分離して遊技釘のみを取り外すことができない。
【０００９】
そこで、本発明は、遊技釘の着脱が容易で、且つ遊技機パネルからの抜け落ちを防止することのできる技術を提供することを目的とする。
【課題を解決するための手段】
【００１０】
上記課題を解決するため、請求項１に記載の本発明の遊技釘ユニットは、本体の一端に頭部が形成されるとともに遊技機パネルに形成された貫通孔よりも大きな径のストッパ部が前記頭部と間隔を空けて形成された遊技釘と、前記貫通孔よりも大きな径のフランジが形成された固定部材と、前記貫通孔内に嵌入可能に設けられた釘受け部材とを有し、前記遊技釘と前記固定部材とが前記釘受け部材を介して螺合されることを特徴とする。
【００１１】
このように、遊技釘と固定部材とを釘受け部材を介して螺合しているので、遊技釘あるいは固定部材を回転させるだけで、容易に遊技釘の着脱を行うことが可能になる。また、釘受け部材を介した遊技釘と固定部材との螺合が遊技釘の引き抜き力に抗する役割を果たし、フランジとストッパ部とで遊技機パネルを挟み込むことで遊技釘ユニットが遊技機パネルから抜け落ちることが防止されるので、遊技釘や遊技釘ユニットが遊技機パネルから抜け落ちることを確実に防止することが可能になる。
【００１２】
請求項２に記載の本発明の遊技釘ユニットは、請求項１記載の発明の構成に加えて、前記遊技釘の前記本体には前記釘受け部材と螺合するねじ領域が前記頭部と反対側の端部から所定の長さにわたって設けられるとともに、前記ストッパ部は前記ねじ領域と前記頭部との間に形成され、前記釘受け部材は前記固定部材と一体形成されて前記遊技釘と螺合することを特徴とする。
【００１３】
このように、固定部材と一体となった釘受け部材と遊技釘とを螺合しているので、遊技釘あるいは固定部材を回転させるだけで、容易に遊技釘の着脱を行うことが可能になる。
【００１４】
また、釘受け部材と遊技釘との螺合が遊技釘の引き抜き力に抗する役割を果たし、フランジとストッパ部とで遊技機パネルを挟み込むことで遊技釘ユニットが遊技機パネルから抜け落ちることが防止されるので、遊技釘や遊技釘ユニットが遊技機パネルから抜け落ちることを確実に防止することが可能になる。
【００１５】
さらに、遊技機パネルへの取り付けの段階では、釘受け部材をパネル背面側から貫通孔に嵌め込んでおけば、後は遊技釘を取り付けるという前面側からだけの作業のみを行えばよいので、作業効率の向上を図ることができる。
【００１６】
そして、遊技釘を貫通孔に仮固定しておくことなく、釘受け部材に螺合するだけでこれを直ちに遊技機パネルに取り付けることができる。
【００１７】
請求項３に記載の本発明の遊技釘ユニットは、請求項１記載の発明の構成に加えて、前記遊技釘の前記本体には前記釘受け部材と螺合するねじ領域が前記頭部と反対側の端部から所定の長さにわたって設けられるとともに前記ストッパ部は前記ねじ領域と前記頭部との間に形成され、前記釘受け部材は前記遊技釘および前記固定部材とは別体に形成されて前記遊技釘および前記固定部材と螺合することを特徴とする。
【００１８】
このように、釘受け部材が遊技釘および固定部材と螺合しているので、遊技釘あるいは固定部材を回転させるだけで、容易に遊技釘の着脱を行うことが可能になる。
【００１９】
また、釘受け部材の遊技釘や固定部材に対する螺合が遊技釘の引き抜き力に抗する役割を果たし、フランジとストッパ部とで遊技機パネルを挟み込むことで遊技釘ユニットが遊技機パネルから抜け落ちることが防止されるので、遊技釘や遊技釘ユニットが遊技機パネルから抜け落ちることを確実に防止することが可能になる。
【００２０】
さらに、釘受け部材が遊技釘および固定部材から独立していることから、釘受け部材を遊技機パネルの前面側および背面側の何れからでも貫通孔に嵌入することができるので、遊技機パネルへの釘取り付けの際に作業の融通が利く。
【００２１】
そして、釘受け部材を貫通孔に嵌入してから遊技釘および固定部材を螺合する方法のみならず、釘受け部材を遊技釘または固定部材と螺合しておいてからこれを貫通孔に嵌入し、固定部材または遊技釘を螺合する方法でも取り付けできるので、３通りの取り付け方法の中から最適な方法が自由に選択可能になり、この点からも取り付け作業の融通が利く。
【００２２】
請求項４に記載の本発明は、請求項２または３記載の発明の構成に加えて、釘受け部材には内径部が形成され、ねじ領域は、その先端が内径部の孔径よりも小さくなるテーパ状に形成されていることを特徴とする。
【００２３】
これにより、遊技釘の先端が簡単に釘受け部材の内径部に入り込むので、遊技釘のねじ込みのための位置決めが容易になる。
【００２４】
請求項５に記載の本発明の遊技釘ユニットは、請求項１記載の発明の構成に加えて、前記釘受け部材は前記遊技釘と一体形成されて前記ストッパ部よりも前記頭部と反対側に位置し、前記固定部材と螺合することを特徴とする。
【００２５】
このように、遊技釘と一体となった釘受け部材と固定部材とを螺合しているので、遊技釘あるいは固定部材を回転させるだけで、容易に遊技釘の着脱を行うことが可能になる。
【００２６】
また、釘受け部材と固定部材との螺合が遊技釘の引き抜き力に抗する役割を果たし、フランジとストッパ部とで遊技機パネルを挟み込むことで遊技釘ユニットが遊技機パネルから抜け落ちることが防止されるので、遊技釘や遊技釘ユニットが遊技機パネルから抜け落ちることを確実に防止することが可能になる。
【００２７】
さらに、遊技機パネルへの取り付けの段階では、釘受け部材をパネル前面側から貫通孔に嵌め込んでおけば、後は固定部材を取り付けるという背面側からだけの作業のみを行えばよいので、作業効率の向上を図ることができる。
【００２８】
そして、釘受け部材が遊技釘と一体になっていることから、釘受け部材を貫通孔に嵌め込むだけで遊技釘が仮固定されるので、固定部材を螺合するに先だって遊技釘の離脱防止作業を行う必要がなくなり、作業工程の削減を図ることができる。
【００２９】
請求項６に記載の本発明は、請求項１〜５の何れか一項に記載の発明の構成に加えて、釘受け部材の長さは、当該釘受け部材が嵌入される遊技機パネルの厚みよりも短いことを特徴とする。
【００３０】
これにより、釘受け部材とストッパ部との間に隙間ができて遊技機パネルに形成された貫通孔のエッジに釘受け部材が当たらないので、遊技釘を叩いて曲げたときにも当該エッジにはストレスがかかることがなく、傷や欠けを防止することができる。
【００３１】
請求項７に記載の本発明は、請求項１〜６の何れか一項に記載の発明の構成に加えて、フランジには、所定の工具が嵌合して回転可能な工具嵌合部が形成されていることを特徴とする。
【００３２】
これにより、遊技釘と固定部材とを遊技機パネルの背面側から工具で螺合できるので、遊技機パネルの前面側からの遊技釘の離脱が困難になり、遊技釘を除去するといった不正行為を未然に防止できる。
【００３３】
請求項８に記載の本発明の遊技盤は、請求項１〜７の何れか一項に記載の遊技釘ユニットが遊技機パネルに固定された遊技盤であって、前記釘受け部材が前記遊技機パネルに形成された前記貫通孔に嵌入されるとともに、前記ストッパ部が前記遊技機パネルの前面側に位置する前記遊技釘と前記フランジが前記遊技機パネルの背面側に位置する前記固定部材とが前記釘受け部材を介して螺合され、前記フランジと前記ストッパ部とで前記遊技機パネルを挟み込みつつ前記遊技釘における前記ストッパ部よりも前記頭部側を前記遊技機パネルの前面に突出配置したことを特徴とする。
【００３４】
これにより、遊技釘あるいは固定部材を回転させるだけで、容易に遊技釘の着脱を行うことが可能になり、フランジとストッパ部とで遊技機パネルを挟み込むことで遊技釘や遊技釘ユニットが遊技機パネルから抜け落ちることを確実に防止することが可能になる。
【００３５】
請求項９に記載の本発明の遊技盤は、請求項２、４、６または７記載の遊技釘ユニットが遊技機パネルに固定された遊技盤であって、前記ストッパ部が前記遊技機パネルの前面側に位置するようにして前記ねじ領域が前記貫通孔に挿入されるとともに、前記フランジが前記遊技機パネルの背面側に位置するようにして前記釘受け部材が前記貫通孔に嵌入されて前記ねじ領域と螺合され、前記フランジと前記ストッパ部とで前記遊技機パネルを挟み込みつつ前記遊技釘における前記ストッパ部よりも前記頭部側を前記遊技機パネルの前面に突出配置したことを特徴とする。
【００３６】
これにより、遊技釘あるいは固定部材を回転させるだけで、容易に遊技釘の着脱を行うことが可能になり、フランジとストッパ部とで遊技機パネルを挟み込むことで遊技釘や遊技釘ユニットが遊技機パネルから抜け落ちることを確実に防止することが可能になる。
【００３７】
また、釘受け部材をパネル背面側から貫通孔に嵌め込んでおけば、後は前面側から遊技釘を取り付ける作業のみを行えばよく、作業効率の向上を図ることができる。
【００３８】
さらに、遊技釘を釘受け部材に螺合するだけで、これを直ちに遊技機パネルに取り付けることができる。
【００３９】
請求項１０に記載の本発明の遊技盤は、請求項３、４、６または７記載の遊技釘ユニットが遊技機パネルに固定された遊技盤であって、前記ストッパ部が前記遊技機パネルの前面側に位置するようにして前記ねじ領域が前記貫通孔に挿入されるとともに前記フランジが前記遊技機パネルの背面側に位置するようにして前記貫通孔に挿入され、さらに前記遊技機パネルの前面側または背面側から当該貫通孔に嵌入された前記釘受け部材が前記遊技釘のねじ領域および前記固定部材と螺合され、前記フランジと前記ストッパ部とで前記遊技機パネルを挟み込みつつ前記遊技釘における前記ストッパ部よりも前記頭部側を前記遊技機パネルの前面に突出配置したことを特徴とする。
【００４０】
これにより、遊技釘あるいは固定部材を回転させるだけで、容易に遊技釘の着脱を行うことが可能になり、フランジとストッパ部とで遊技機パネルを挟み込むことで遊技釘や遊技釘ユニットが遊技機パネルから抜け落ちることを確実に防止することが可能になる。
【００４１】
また、釘受け部材を遊技機パネルの前面側および背面側の何れからでも貫通孔に嵌入することができるので、遊技機パネルへの釘取り付けの際に作業の融通が利く。さらに、釘受け部材を貫通孔に嵌入してから遊技釘および固定部材を螺合する方法、釘受け部材を遊技釘または固定部材と螺合しておいてからこれを貫通孔に嵌入して固定部材または遊技釘を螺合する方法、の中から最適な方法が自由に選択可能になるので、この点でも取り付け作業の融通が利く。
【００４２】
請求項１１に記載の本発明の遊技盤は、請求項５、６または７記載の遊技釘ユニットが遊技機パネルに固定された遊技盤であって、前記ストッパ部が前記遊技機パネルの前面側に位置するようにして前記釘受け部材が前記貫通孔に嵌入されるとともに、前記フランジが前記遊技機パネルの背面側に位置するようにして前記固定部材が前記貫通孔に挿入されて前記釘受け部材と螺合され、前記フランジと前記ストッパ部とで前記遊技機パネルを挟み込みつつ前記遊技釘における前記ストッパ部よりも前記頭部側を前記遊技機パネルの前面に突出配置したことを特徴とする。
【００４３】
これにより、遊技釘あるいは固定部材を回転させるだけで、容易に遊技釘の着脱を行うことが可能になり、フランジとストッパ部とで遊技機パネルを挟み込むことで遊技釘や遊技釘ユニットが遊技機パネルから抜け落ちることを確実に防止することが可能になる。
【００４４】
また、釘受け部材をパネル前面側から貫通孔に嵌め込んでおけば、後は背面側から固定部材を取り付ける作業のみを行えばよく、作業効率の向上を図ることができる。
【００４５】
さらに、釘受け部材を貫通孔に嵌め込むだけで遊技釘が仮固定されるので、固定部材を螺合するに先だって遊技釘の離脱防止作業を行う必要がなくなり、作業工程の削減を図ることができる。
【００４６】
請求項１２に記載の本発明は、請求項８〜１１の何れか一項に記載の発明の構成に加えて、遊技機パネルは樹脂製であることを特徴とする。
【００４７】
これにより、遊技釘あるいは固定部材を回転させるだけで、容易に遊技釘の着脱を行うことが可能になり、遊技釘や遊技釘ユニットが遊技機パネルから抜け落ちることを確実に防止することが可能になるとともに、釘の調整作業などで遊技釘に負担がかかったときでも、この負担が釘受け部材で緩衝されるので、遊技機パネルの割れや欠けが有効に防止される。
【００４８】
請求項１３に記載の本発明は、請求項１２記載の発明の構成に加えて、遊技機パネルは透光性を有する樹脂製であることを特徴とする。
【００４９】
これにより、遊技釘あるいは固定部材を回転させるだけで、容易に遊技釘の着脱を行うことが可能になり、遊技釘や遊技釘ユニットが遊技機パネルから抜け落ちることを確実に防止することが可能になるとともに、透光性故に目立ちやすい遊技機パネルの割れや欠けが有効に防止される。
【００５０】
請求項１４に記載の本発明の弾球遊技機は、請求項８〜１３の何れか一項に記載の遊技盤が用いられていることを特徴とする。
【００５１】
これにより、遊技釘あるいは固定部材を回転させるだけで、容易に遊技釘の着脱を行うことが可能になり、遊技釘や遊技釘ユニットが遊技機パネルから抜け落ちることを確実に防止することが可能になる。
【発明の効果】
【００５２】
本発明によれば以下の効果を奏することができる。
【００５３】
すなわち、本発明によれば、遊技釘と固定部材とを釘受け部材を介して螺合しているので、遊技釘や固定部材を回転させるだけで、容易に遊技釘の着脱を行うことが可能になる。
【００５４】
また、本発明によれば、釘受け部材を介した遊技釘と固定部材との螺合が遊技釘の引き抜き力に抗する役割を果たし、フランジとストッパ部とで遊技機パネルを挟み込むことで遊技釘ユニットが遊技機パネルから抜け落ちることが防止されるので、遊技釘や遊技釘ユニットが遊技機パネルから抜け落ちることを確実に防止することが可能になる。
【発明を実施するための最良の形態】
【００５５】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００５６】
図１は本発明の一実施の形態であるパチンコ遊技機を示す斜視図、図２は図１のパチンコ遊技機に装着された遊技盤を示す斜視図、図３は図２の遊技機パネルに固定された遊技釘ユニットおよびその周辺部分を断面にて示す説明図、図４は本発明の一実施の形態である遊技釘ユニットを示す側面図、図５は図４の遊技釘ユニットを構成する釘受け部材を示す斜視図、図６は遊技機パネルに打ち込まれる図４の遊技釘ユニットを順を追って示す説明図、図７は遊技機パネルに固定された遊技釘ユニットを示す断面図、図８は本発明の他の実施の形態である遊技釘ユニットを示す断面図、図９は本発明のさらに他の実施の形態である遊技釘ユニットを示す断面図、図１０は本発明のさらに他の実施の形態である遊技釘ユニットを示す断面図である。
【００５７】
図１に示すように、パチンコ遊技機（弾球遊技機）１は、遊技盤２が装着された本体枠３ａがヒンジを介してベース枠３ｂに回動可能に取り付けられ、これら本体枠３ａおよびベース枠３ｂで本体部３が構成されている。そして、このような本体部３に対して、遊技盤２を視認可能に被うガラス扉４、およびガラス扉４の下側に位置する皿ユニット５が取り付けられている。ガラス扉４および皿ユニット５は、その一端が本体部３に回動可能に軸支されており、他端がロック装置（図示せず）により本体部３に係合するようになっている。
【００５８】
図２に詳しく示すように、遊技盤２は、たとえばポリカーボネートなど透光性を有する樹脂製の遊技機パネル２ａと、遊技機パネル２ａ上のガラス扉４に包囲された領域に配置された多数の遊技釘１１や風車（図示せず）などの障害物や入賞装置１２等からなる遊技部材で構成されており、発射された遊技球が打ち込まれて流下する遊技領域がある。そして、本実施の形態においては、透光性を有する遊技機パネル２ａに合わせて、遊技釘１１を除く遊技部材もまた、透光性部材で形成されている。
【００５９】
但し、遊技機パネル２ａはポリカーボネート以外の樹脂であってもよく、また透光性を有していなくてもよい。さらに、遊技機パネル２ａは木製とすることもできる。なお、図２において、遊技釘１１は一部しか図示されていないが、実際にはさらに多数の遊技釘が打ち込まれている。
【００６０】
また、略四角形の遊技機パネル２ａの４カ所の隅部にはブラケット９ａ，９ｂ，９ｃ，９ｄが取り付けられている。そして、向かって左側上下に位置するブラケット９ａ，９ｂにより遊技盤２が本体枠３ａに対して回動可能に保持され、向かって右側上下に位置するブラケット９ｃ，９ｄにより遊技盤２が本体枠３ａにロックされる。
【００６１】
図３に示すように、遊技釘１１は遊技機パネル２ａの前面に突出して打ち込まれている。そして、このような遊技機パネル２ａの前方にはガラス扉（図１）にはめ込まれたガラス４ａが位置しており、背後には、例えば液晶ディスプレイ、ＣＲＴ（陰極線管）あるいはプラズマディスプレイ等からなり、画像信号入力に基づいて任意の画像を表示する図柄表示部１３が、透光性を有する遊技機パネル２ａを介して視認可能に配置されている。なお、遊技機パネルが透光性を有していない場合には、図柄表示部１３は遊技機パネルに開口された表示孔を介して視認可能に配置される。
【００６２】
図１において、遊技盤２の下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２の遊技領域へ遊技球を打ち込む際に回動操作されるハンドル７が設けられている。
【００６３】
また、ガラス扉４の上部の左右には、スピーカ８ａ，８ｂがそれぞれ配置されている。
【００６４】
遊技釘１１は釘受け部材１６および固定部材１７を介して遊技機パネル２ａに固定されており、この遊技釘１１、釘受け部材１６および固定部材１７で遊技釘ユニット１８が構成されている。
【００６５】
例えば真鍮製の遊技釘１１は、図４に示すように、本体１１ａの一端に頭部１１ｂが形成されている。また、頭部１１ｂとは反対側の端部から所定の長さにわたって、雄ねじ（ねじ溝）が切られたねじ領域１１ａ−１が形成されている。そして、ねじ領域１１ａ−１の頭部１１ｂ側端には、遊技機パネル２ａに形成された貫通孔２ａ−１（図６）よりも大きな径の外周突起であるストッパ部１１ａ−２が形成されている。
【００６６】
なお、ストッパ部１１ａ−２は、頭部１１ｂと間隔を空けて、ねじ領域１１ａ−１と頭部１１ｂとの間に形成されていればよい。つまり、ストッパ部１１ａ−２は、本実施の形態のようなねじ領域１１ａ−１の頭部１１ｂ側端でもよいが、ねじ領域１１ａ−１ではない部分に形成されていてもよい。
【００６７】
図示する場合において、釘受け部材１６と固定部材１７とは相互に一体形成されており、例えば金属あるいは樹脂からなる。
【００６８】
図４および図５に示すように、釘受け部材１６は、遊技釘１１のねじ領域１１ａ−１がねじ込み可能な雌ねじ（ねじ溝）が内径部に切られた柱状の部材であり、遊技機パネル２ａの貫通孔２ａ−１に嵌入可能となっている。
【００６９】
また、固定部材１７は釘受け部材１６の一端側に位置しており、遊技機パネル２ａに形成された貫通孔２ａ−１（図６）よりも大きな径のフランジ１７ａが形成されている。さらに、フランジ１７ａには、図示しないドライバ（工具）が嵌合するドライバ溝（工具嵌合部）１７ａ−１が形成されている。なお、図示する場合には、ドライバ溝１７ａ−１は＋（プラス）ドライバ用であるが、−（マイナス）ドライバ用でもよい。また、スパナなど、他の工具が嵌合する切り欠きや溝でもよい。
【００７０】
遊技釘１１は、ねじ領域１１ａ−１を釘受け部材１６の雌ねじの切られた内径部にねじ込むことにより、固定部材１７と一体化された釘受け部材１６と螺合する。つまり、遊技釘１１と固定部材１７とが釘受け部材１６を介して螺合する。このとき、ねじ領域１１ａ−１の頭部１１ｂ側端にはストッパ部１１ａ−２が形成されているので、ねじ領域１１ａ−１が釘受け部１６内にねじ込まれてしまったならば、ストッパ部１１ａ−２によりそれ以上ねじ込まれることが阻止される。よって、遊技釘１１のねじ領域１１ａ−１以外の本体１１ａは釘受け部材１６から突出した状態になる。
【００７１】
ここで、ねじ領域１１ａ−１の長さは釘受け部材１６と固定部材１７とを合わせた長さと同じか、これよりも短くなっているのが望ましい。これは、ねじ領域１１ａ−１の長さの方が長いと、ねじ領域１１ａ−１を釘受け部材１６にねじ込んだときに遊技釘１１の先端が固定部材１７から突出するため、後述する遊技機パネル２ａに遊技釘ユニット１８を取り付けた場合に、パネル背面に遊技釘１１の突起が多数出てしまうからである。
【００７２】
なお、遊技釘１１は、そのねじ領域１１ａ−１が釘受け部材１６の軸方向に沿ってねじ込み可能となっていればよく、真鍮など金属製の遊技釘をねじ込むことにより釘受け部材１６が切削されるものであれば、内径部には雌ねじは形成されていなくてもよい。さらに、遊技釘１１の先端部を尖らせておき、この先端部を釘受け部材１６に打ち込んで遊技釘１１を釘受け部材１６にねじ込んでいくようにすれば、釘受け部材１６には孔である内径部は形成しなくてもよい。また、内径部を形成した場合には、ねじ領域１１ａ−１を先細り形状に、つまりテーパ状に形成してその先端を内径部の孔径よりも十分に小さくすれば、遊技釘１１の先端が簡単に釘受け部材１６の内径部に入り込むので、遊技釘１１のねじ込みのための位置決めが容易になる。
【００７３】
次に、このような遊技釘ユニット１８の遊技機パネル２ａに対する取り付けについて、図６を用いて説明する。
【００７４】
まず、図６（ａ）に示すように、遊技機パネル２ａの前面から、この遊技機パネル２ａに形成された貫通孔２ａ−１に遊技釘１１のねじ領域１１ａ−１を入れる。このとき、ストッパ部１１ａ−２が貫通孔２ａ−１を覆った状態になるので、遊技釘１１のねじ領域１１ａ−１以外の本体１１ａは遊技機パネル２ａの前面に突出している。
【００７５】
次に、図６（ｂ）に示すように、固定部材１７と一体となった釘受け部材１６を遊技機パネル２ａの貫通孔２ａ−１内に嵌入して遊技釘１１のねじ領域１１ａ−１にねじ込んでいく。このとき、遊技釘１１を固定しておくとともに、固定部材１７のフランジ１７ａに形成されたドライバ溝１７ａ−１にドライバを差し込んで回転させることにより、釘受け部材１６は容易にねじ領域１１ａ−１にねじ込まれながら貫通孔２ａ−１に嵌入されていく。そして、図６（ｃ）に示すように、遊技釘１１のねじ領域１１ａ−１と釘受け部材１６とが遊技機パネル２ａに形成された貫通孔２ａ−１内でねじ結合して遊技釘ユニット１８が遊技機パネル２ａに取り付けられる。
【００７６】
なお、このようにフランジ１７ａにドライバ溝１７ａ−１を設けて遊技釘１１と釘受け部材１６とを遊技機パネル２ａの背面側からドライバなどの工具で固定することにより、遊技機パネル２ａの前面側からの遊技釘１１の離脱が困難になり、遊技釘１１を除去するといった不正行為を未然に防止できる。
【００７７】
最終的に遊技機パネル２ａに取り付けられた状態では、図７に詳しく示すように、固定部材１７のフランジ１７ａが遊技機パネル２ａの背面側に位置するようにして釘受け部材１６が貫通孔２ａ−１に嵌入されるとともに、ストッパ部１１ａ−２が遊技機パネル２ａの前面側に位置するようにして遊技釘１１のねじ領域１１ａ−１が釘受け部材１６に螺合される。そして、フランジ１７ａとストッパ部１１ａ−２とで遊技機パネル２ａを挟み込みつつ、遊技釘１１のストッパ部１１ａ−２よりも頭部１１ｂ側が遊技機パネル２ａの前面に突出配置される。
【００７８】
したがって、遊技時には、遊技釘１１の突出した部分が流下する遊技球の障害部としての役割を果たすことになる。なお、貫通孔２ａ−１を遊技機パネル２ａの裏面から表面に向けて僅かに上方に傾斜して形成するなどして遊技釘１１を遊技機パネル２ａに対して僅かに上方に傾斜させれば、流下する遊技球は、遊技釘１１が遊技機パネル２ａに対して直角あるいは下方に傾斜した状態に比べてより上方に弾き返されるようになるので、遊技領域への滞留時間が長くなって遊技者に有利になる。
【００７９】
このように、本願の遊技釘ユニット１８によれば、遊技釘１１のねじ領域１１ａ−１を固定部材１７と一体になった釘受け部材１６と螺合しているので、つまり遊技釘１１と固定部材１７とが釘受け部材１６を介して螺合しているので、遊技釘１１あるいは釘受け部材１６を回転させるだけで、容易に遊技釘１１の着脱を行うことが可能になる。
【００８０】
また、釘受け部材１６を介した遊技釘１１と固定部材１７との螺合が遊技釘１１に形成されたねじ領域１１ａ−１が釘の引き抜き力に抗する役割を果たして遊技釘１１が釘受け部１６から抜け落ちることが防止され、さらに遊技機パネル２ａの背面側のフランジ１７ａと前面側のストッパ部１１ａ−２とで遊技機パネル２ａを挟み込んでいることから遊技釘ユニット１８が遊技機パネル２ａから抜け落ちることが防止される。よって、釘の調整作業などで遊技釘１１に負担がかかったときでも、遊技釘１１や遊技釘ユニット１８が遊技機パネル２ａから抜け落ちることを確実に防止することが可能になる。
【００８１】
さらに、遊技機パネル２ａへの取り付けの段階では、釘受け部材１６をパネル背面側から貫通孔２ａ−１に嵌め込んでおけば、後は遊技釘１１を取り付けるという前面側からだけの作業のみを行えばよいので、作業効率の向上を図ることができる。
【００８２】
さらに、遊技釘１１を貫通孔２ａ−１に仮固定しておくことなく、釘受け部材１６に螺合するだけでこれを直ちに遊技機パネル２ａに取り付けることができる。
【００８３】
さらに、特開平６−１７８８５２号公報に記載の技術では、筒部材を遊技機パネルの貫通孔に嵌入させるという工程、この筒部材に遊技釘を取り付けるという工程、そして盤面裏側から筒部材にワッシャを嵌め込むという工程の３工程を経て取り付けられるために、多数の遊技釘の取り付けには煩雑さが伴うが、本願によれば、遊技釘１１を貫通孔２ａ−１にセットするという工程、および固定部材１７と一体になった釘受け部材１６を遊技機パネル２ａの貫通孔２ａ−１内に嵌入して遊技釘１１のねじ領域１１ａ−１にねじ込んでいくという工程、の２工程でよいので、釘取り付けに伴う煩雑さを最小限に抑制することができる。
【００８４】
そして、特に、遊技機パネル２ａを本実施の形態のように樹脂製とした場合には、釘の調整作業などで遊技釘１１に負担がかかったときでも、この負担が釘受け部材１６で緩衝されるので、遊技機パネル２ａの割れや欠けが有効に防止される。そして、遊技機パネル２ａを透光性を有する樹脂製とした場合には、割れや欠けが目立ちやすくなることから、一層効果的である。
【００８５】
ここで、図８に示すように、釘受け部材１６の長さは、この釘受け部材１６が嵌入される遊技機パネル２ａの厚みよりも短くしてもよい。
【００８６】
このようにすれば、釘受け部材１６とストッパ部１１ａ−２との間に隙間が形成されて遊技機パネル２ａに形成された貫通孔２ａ−１のエッジに釘受け部材１６が当たらないので、釘調整作業で遊技釘１１を叩いて曲げたときにも貫通孔２ａ−１のエッジにはストレスがかからない。したがって、このエッジの傷や欠けを防止することができる。
【００８７】
また、図９に示すように、釘受け部材１６と固定部材１７とを別々にして、釘受け部材１６を遊技釘１１および固定部材１７とは別体に形成してもよい。すなわち、釘受け部材１６を遊技機パネル２ａに形成された貫通孔２ａ−１に嵌入可能な単なる柱状体とするとともに、固定部材１７を貫通孔２ａ−１よりも大きな径のフランジ１７ａが形成されて釘受け部材１６の軸方向に沿ってねじ込み可能とする。
【００８８】
したがって、釘受け部材１６は遊技釘１１および固定部材１７と螺合するようになる。つまり、釘受け部材１６には、その一方側から固定部材が螺合し、他方側から遊技釘１１のねじ領域１１ａ−１が螺合することにより、遊技釘１１と固定部材１７とが釘受け部材１６を介して螺合される。
【００８９】
図９に示す場合には、フランジ１７ａが遊技機パネル２ａの背面側に位置するようにして固定部材１７が遊技機パネル２ａの貫通孔２ａ−１に嵌入された釘受け部材１６に螺合され、ストッパ部１１ａ−２が遊技機パネル２ａの前面側に位置するようにして遊技釘１１のねじ領域１１ａ−１が釘受け部材１６に螺合される。そして、フランジ１７ａとストッパ部１１ａ−２とで遊技機パネル２ａを挟み込み、遊技釘１１のストッパ部１１ａ−２よりも頭部１１ｂ側が遊技機パネル２ａの前面に突出配置される。
【００９０】
したがって、この構成においても、釘受け部材１６が遊技釘１１および固定部材１７と螺合しているので、遊技釘１１あるいは固定部材１７を回転させるだけで、容易に遊技釘１１の着脱を行うことが可能になる。
【００９１】
また、釘受け部材１６の遊技釘１１や固定部材１７に対する螺合が釘の引き抜き力に抗する役割を果たし、フランジ１７ａとストッパ部１１ａ−２とで遊技機パネル２ａを挟み込むことで遊技釘ユニット１８が遊技機パネル２ａから抜け落ちることが防止されるので、遊技釘１１や遊技釘ユニット１８が遊技機パネル２ａから抜け落ちることを確実に防止することが可能になる。
【００９２】
さらに、釘受け部材１６が遊技釘１１および固定部材１７から独立していることから、釘受け部材１６を遊技機パネル２ａの前面側および背面側の何れからでも貫通孔２ａ−１に嵌入することができるので、遊技機パネル２ａへの釘取り付けの際に作業の融通が利く。
【００９３】
そして、釘受け部材１６を貫通孔２ａ−１に嵌入してから遊技釘１１および固定部材１７を螺合する方法のみならず、釘受け部材１６を遊技釘１１と螺合しておいてからこれを貫通孔２ａ−１に嵌入して固定部材１７を螺合する方法、あるいは釘受け部材１６を固定部材１７と螺合しておいてからこれを貫通孔２ａ−１に嵌入して遊技釘１１を螺合する方法でも取り付けできるので、３通りの取り付け方法の中から最適な方法が自由に選択可能になり、この点からも取り付け作業の融通が利く。
【００９４】
ここで、図１０に示すように、釘受け部材１６と遊技釘１１とを一体形成し、固定部材１７を別体にしてもよい。この場合、釘受け部材１６は、遊技釘１１におけるストッパ部１１ａ−２よりも頭部１１ｂとは反対側に位置して固定部材１７と螺合することにより、遊技釘１１と固定部材１７とが釘受け部材１６を介して螺合される。そして、このような釘受け部材１６のために、遊技釘１１には、図７〜図９などで示すねじ領域１１ａ−１は存在しない。
【００９５】
図１０に示す場合には、ストッパ部１１ａ−２が遊技機パネル２ａの前面側に位置するようにして釘受け部材１６が貫通孔２ａ−１に嵌入され、フランジ１７ａが遊技機パネル２ａの背面側に位置するようにして固定部材１７が貫通孔２ａ−１に挿入されて釘受け部材１６と螺合される。そして、フランジ１７ａとストッパ部１１ａ−２とで遊技機パネル２ａを挟み込み、遊技釘１１のストッパ部１１ａ−２よりも頭部１１ｂ側が遊技機パネル２ａの前面に突出配置される。
【００９６】
したがって、この構成においても、遊技釘１１と一体となった釘受け部材１６と固定部材１７とを螺合しているので、、遊技釘１１あるいは固定部材１７を回転させるだけで、容易に遊技釘１１の着脱を行うことが可能になる。
【００９７】
また、釘受け部材１６と固定部材１７との螺合が釘の引き抜き力に抗する役割を果たし、フランジ１７ａとストッパ部１１ａ−２とで遊技機パネル２ａを挟み込むことで遊技釘ユニット１８が遊技機パネル２ａから抜け落ちることが防止されるので、遊技釘１１や遊技釘ユニット１８が遊技機パネル２ａから抜け落ちることを確実に防止することが可能になる。
【００９８】
さらに、このような遊技釘ユニット１８では、遊技機パネル２ａへの取り付けの段階では、釘受け部材１６をパネル前面側から貫通孔２ａ−１に嵌め込んでおけば、後は固定部材１７を取り付けるという背面側からだけの作業のみを行えばよいので、作業効率の向上を図ることができる。
【００９９】
そして、釘受け部材１６が遊技釘１１と一体になっていることから、釘受け部材１６を貫通孔２ａ−１に嵌め込むだけで遊技釘１１が仮固定されるので、固定部材１７を螺合するに先だって遊技釘１１の離脱防止作業を行う必要がなくなり、作業工程の削減を図ることができる。
【０１００】
なお、図９および図１０に示す場合でも、固定部材１７のフランジ１７ａに、ドライバの先端が嵌合するドライバ溝やスパナが嵌り込む切り欠きを形成することができるのはもちろんである。
【産業上の利用可能性】
【０１０１】
以上の説明においては、本発明を弾球遊技機の一つであるパチンコ遊技機に適用した場合が説明されているが、本発明はパチンコ遊技機に限定されるものではなく、たとえばスマートボールや雀球など様々な弾球遊技機に適用することが可能である。
【図面の簡単な説明】
【０１０２】
【図１】本発明の一実施の形態であるパチンコ遊技機を示す斜視図である。
【図２】図１のパチンコ遊技機に装着された遊技盤を示す斜視図である。
【図３】図２の遊技機パネルに固定された遊技釘ユニットおよびその周辺部分を断面にて示す説明図である。
【図４】本発明の一実施の形態である遊技釘ユニットを示す側面図である。
【図５】図４の遊技釘ユニットを構成する釘受け部材を示す斜視図である。
【図６】遊技機パネルに打ち込まれる図４の遊技釘ユニットを順を追って示す説明である。
【図７】遊技機パネルに固定された遊技釘ユニットを示す断面図である。
【図８】本発明の他の実施の形態である遊技釘ユニットを示す断面図である。
【図９】本発明のさらに他の実施の形態である遊技釘ユニットを示す断面図である。
【図１０】本発明のさらに他の実施の形態である遊技釘ユニットを示す断面図である。
【符号の説明】
【０１０３】
１  パチンコ遊技機（弾球遊技機）
２  遊技盤
２ａ  遊技機パネル
２ａ−１  貫通孔
１１  遊技釘
１１ａ  本体
１１ａ−１  ねじ領域
１１ａ−２  ストッパ部
１１ｂ  頭部
１６  釘受け部材
１７  固定部材
１７ａ  フランジ
１７ａ−１ ドライバ溝
１８  遊技釘ユニット
【図１】
2006149631.tif 000003
【図２】
2006149631.tif 000004
【図３】
2006149631.tif 000005
【図４】
2006149631.tif 000006
【図５】
2006149631.tif 000007
【図６】
2006149631.tif 000008
【図７】
2006149631.tif 000009
【図８】
2006149631.tif 000010
【図９】
2006149631.tif 000011
【図１０】
2006149631.tif 000012